(57)【要約】【課題】電池の劣化の診断に関する測定を行っている最中にユーザが負荷発生装置を操作しても、電池の劣化の診断を精度良く行うことができる電池劣化判定装置などを提供する。【解決手段】電池劣化判定装置は、電池を使用する負荷発生装置において行われる動作の消費電流の情報に基づいて補正を行いつつ、前記消費電流がない場合における前記電池に関する基準となる特性値の情報に基づいて、前記補正を行った特性値の情報を生成する特性値補正部と、前記特性値補正部により生成された前記補正を行った特性値の情報と、前記電池に関する測定により得られた前記電池に関する特性値の情報に基づいて、前記電池の劣化の判定を行う判定部と、を備える。【選択図】図１
2015111070.tif 000002
【特許請求の範囲】
【請求項１】
電池を使用する負荷発生装置において行われる動作の消費電流の情報に基づいて補正を行いつつ、前記消費電流がない場合における前記電池に関する基準となる特性値の情報に基づいて、前記補正を行った特性値の情報を生成する特性値補正部と、
前記特性値補正部により生成された前記補正を行った特性値の情報と、前記電池に関する測定により得られた前記電池に関する特性値の情報に基づいて、前記電池の劣化の判定を行う判定部と、
を備える電池劣化判定装置。
【請求項２】
前記消費電流がない場合における前記電池に関する基準となる特性値の情報を記憶する基準特性値記憶部と、
前記負荷発生装置において行われる動作の種類と消費電流との対応の情報を記憶する消費電流情報記憶部と、
前記負荷発生装置において行われる動作の種類および時刻の情報を検出する動作情報検出部と、
前記消費電流情報記憶部に記憶された情報と、前記動作情報検出部により検出された情報に基づいて、前記負荷発生装置において行われる動作の消費電流の情報を検出する消費電流情報検出部と、を備え、
前記特性値補正部は、前記消費電流情報検出部により検出された情報に基づいて補正を行いつつ、前記基準特性値記憶部に記憶された情報に基づいて、前記補正を行った特性値の情報を生成する、
請求項１に記載の電池劣化判定装置。
【請求項３】
前記電池は、充電可能な電池であり、
前記電池の充電または放電に関する情報を測定する測定部を備え、
前記判定部は、前記特性値補正部により生成された前記補正を行った特性値の情報と、前記測定部により測定された情報により得られた前記電池に関する特性値の情報に基づいて、前記電池の劣化の判定を行う、
請求項１または請求項２のいずれか１項に記載の電池劣化判定装置。
【請求項４】
前記負荷発生装置において行われる動作の消費電流の情報として、前記負荷発生装置に対するユーザによる操作に応じて行われる動作の消費電流の情報が用いられる、
請求項１から請求項３のいずれか１項に記載の電池劣化判定装置。
【請求項５】
前記電池劣化判定装置は、前記負荷発生装置に備えられる、
請求項１から請求項４のいずれか１項に記載の電池劣化判定装置。
【請求項６】
特性値補正部が、電池を使用する負荷発生装置において行われる動作の消費電流の情報に基づいて補正を行いつつ、前記消費電流がない場合における前記電池に関する基準となる特性値の情報に基づいて、前記補正を行った特性値の情報を生成し、
判定部が、前記特性値補正部により生成された前記補正を行った特性値の情報と、前記電池に関する測定により得られた前記電池に関する特性値の情報に基づいて、前記電池の劣化の判定を行う、
電池劣化判定方法。
【請求項７】
特性値補正部が、電池を使用する負荷発生装置において行われる動作の消費電流の情報に基づいて補正を行いつつ、前記消費電流がない場合における前記電池に関する基準となる特性値の情報に基づいて、前記補正を行った特性値の情報を生成するステップと、
判定部が、前記特性値補正部により生成された前記補正を行った特性値の情報と、前記電池に関する測定により得られた前記電池に関する特性値の情報に基づいて、前記電池の劣化の判定を行うステップと、
をコンピュータに実行させるための電池劣化判定プログラム。
【発明の詳細な説明】
【技術分野】
【０００１】
本発明は、電池劣化判定装置、電池劣化判定方法および電池劣化判定プログラムに関する。
【背景技術】
【０００２】
スマートフォンを含む携帯電話、ビデオカメラ、パーソナルコンピュータ（ＰＣ）などの多様な製品（以下で、総称して、負荷発生装置ともいう。）に電力を供給する電源として、充電可能な電池が使用されている。
充電可能な電池には寿命があり、何度も充電、放電を繰り返すことによって、徐々に充電および放電が可能な容量が減少していく。充電可能な電池の容量が減少すると、充電を行っても放電可能な時間が短くなる。通常、充電可能な電池は、放電可能な時間がある程度まで短くなると電池の寿命に達したと判断されて、新しい充電可能な電池と交換される。
【０００３】
しかしながら、電池の寿命に達したか否かの判断を一般のユーザに任せた場合には、ユーザの経験則や主観による判断となるため正確とは言い難く、ユーザは、寿命に達する前の電池を買い換えることや、寿命に達して劣化した電池を使い続けることがあった。また、電池の寿命を正確に判断する方法として電池のインピーダンスを測定するなどの方法があるが、一般のユーザにとっては電池のインピーダンスを測定することは困難である。
【０００４】
電池の劣化の診断に関連する技術を示す（特許文献１〜５参照。）。
特許文献１に記載された電池劣化判定装置では、電流を一定に維持した状態で、電池を満充電から所定の時間放電させる。電池劣化判定装置では、前記した所定の時間の経過後、電圧を測定する。電池劣化判定装置では、劣化の診断の対象となる電池について測定した電圧が所定の閾値未満であるか否かに基づいて、電池の劣化の診断を行う（特許文献１参照。）。
特許文献２に記載された電力量計では、電池に外部電源から電力を供給し、そのときの電力を測定する。電力量計では、最終的に電池に供給された電力に基づいて、電池の劣化の診断を行う（特許文献２参照。）。
特許文献３に記載された劣化判定装置では、負荷発生装置に電池から電力を供給する際における放電時間と電圧から残存容量を推定して、電池の劣化の診断を行う（特許文献３参照。）。
特許文献４に記載された電池劣化検出機能付携帯情報機器では、満充電時の電池から放電を行い、所定の電圧値までの時間を計測し、あらかじめ規定された時間との比較を行うことで、電池の劣化の診断を行う（特許文献４参照。）。
特許文献５に記載された電池状態判定装置では、電池の充電を行う際における電圧の変化を示す特性を、基準のデータと経年劣化後のデータとで比較することで、電池の劣化の診断を行う（特許文献５参照。）。
【先行技術文献】
【特許文献】
【０００５】
【特許文献１】特開２００９−２１０４９４号公報
【特許文献２】特開２０１３−１１７４８３号公報
【特許文献３】特開２００７−７８６７２号公報
【特許文献４】特開２００８−２３６０９７号公報
【特許文献５】特許第３４７４５３５号公報
【発明の概要】
【発明が解決しようとする課題】
【０００６】
しかしながら、上述した特許文献１〜５に係る装置では、ユーザが負荷発生装置を一切操作していないことが前提となっている。この理由は、電池の劣化の診断に関する測定を行っている最中にユーザが負荷発生装置を操作すると、消費される電流が変動するためである。
例えば、負荷発生装置において、ユーザの操作によって高負荷になった場合には、消費される電流が大きくなり、電池の電圧の低下率が高くなり、電池の容量の減少率も高くなる。
このように、電池の劣化の診断に関する測定を行っている最中にユーザが負荷発生装置を操作すると、電池の本来の特定を測定することが難しく、電池の劣化の診断が精度良く行われないという問題があった。
【０００７】
本発明は、このような事情を考慮してなされたもので、電池の劣化の診断に関する測定を行っている最中にユーザが負荷発生装置を操作しても、電池の劣化の診断を精度良く行うことができる電池劣化判定装置、電池劣化判定方法および電池劣化判定プログラムを提供することを課題とする。
【課題を解決するための手段】
【０００８】
（１）上記の課題を解決するために、本発明の一態様に係る電池劣化判定装置は、電池を使用する負荷発生装置において行われる動作の消費電流の情報に基づいて補正を行いつつ、前記消費電流がない場合における前記電池に関する基準となる特性値の情報に基づいて、前記補正を行った特性値の情報を生成する特性値補正部と、前記特性値補正部により生成された前記補正を行った特性値の情報と、前記電池に関する測定により得られた前記電池に関する特性値の情報に基づいて、前記電池の劣化の判定を行う判定部と、を備える。
【０００９】
（２）本発明の一態様は、上記した（１）に記載の電池劣化判定装置において、前記消費電流がない場合における前記電池に関する基準となる特性値の情報を記憶する基準特性値記憶部と、前記負荷発生装置において行われる動作の種類と消費電流との対応の情報を記憶する消費電流情報記憶部と、前記負荷発生装置において行われる動作の種類および時刻の情報を検出する動作情報検出部と、前記消費電流情報記憶部に記憶された情報と、前記動作情報検出部により検出された情報に基づいて、前記負荷発生装置において行われる動作の消費電流の情報を検出する消費電流情報検出部と、を備え、前記特性値補正部は、前記消費電流情報検出部により検出された情報に基づいて補正を行いつつ、前記基準特性値記憶部に記憶された情報に基づいて、前記補正を行った特性値の情報を生成する、構成としてもよい。
【００１０】
（３）本発明の一態様は、上記した（１）または上記した（２）のいずれか１つに記載の電池劣化判定装置において、前記電池は、充電可能な電池であり、前記電池の充電または放電に関する情報を測定する測定部を備え、前記判定部は、前記特性値補正部により生成された前記補正を行った特性値の情報と、前記測定部により測定された情報により得られた前記電池に関する特性値の情報に基づいて、前記電池の劣化の判定を行う、構成としてもよい。
【００１１】
（４）本発明の一態様は、上記した（１）から上記した（３）のいずれか１つに記載の電池劣化判定装置において、前記負荷発生装置において行われる動作の消費電流の情報として、前記負荷発生装置に対するユーザによる操作に応じて行われる動作の消費電流の情報が用いられる、構成としてもよい。
【００１２】
（５）本発明の一態様は、上記した（１）から上記した（４）のいずれか１つに記載の電池劣化判定装置において、前記電池劣化判定装置は、前記負荷発生装置に備えられる、構成としてもよい。
【００１３】
（６）上記の課題を解決するために、本発明の一態様に係る電池劣化判定方法は、特性値補正部が、電池を使用する負荷発生装置において行われる動作の消費電流の情報に基づいて補正を行いつつ、前記消費電流がない場合における前記電池に関する基準となる特性値の情報に基づいて、前記補正を行った特性値の情報を生成し、判定部が、前記特性値補正部により生成された前記補正を行った特性値の情報と、前記電池に関する測定により得られた前記電池に関する特性値の情報に基づいて、前記電池の劣化の判定を行う。
【００１４】
（７）上記の課題を解決するために、本発明の一態様に係る電池劣化判定プログラムは、特性値補正部が、電池を使用する負荷発生装置において行われる動作の消費電流の情報に基づいて補正を行いつつ、前記消費電流がない場合における前記電池に関する基準となる特性値の情報に基づいて、前記補正を行った特性値の情報を生成するステップと、判定部が、前記特性値補正部により生成された前記補正を行った特性値の情報と、前記電池に関する測定により得られた前記電池に関する特性値の情報に基づいて、前記電池の劣化の判定を行うステップと、をコンピュータに実行させるためのプログラムである。
【発明の効果】
【００１５】
本発明によれば、電池の劣化の診断に関する測定を行っている最中にユーザが負荷発生装置を操作しても、電池の劣化の診断を精度良く行うことができる。
【図面の簡単な説明】
【００１６】
【図１】本発明の一実施形態に係る電池劣化判定装置を含む負荷発生装置の概略的な構成を示すブロック図である。
【図２】本発明の一実施形態に係る電池劣化判定装置を含む負荷発生装置において行われる処理の手順の一例を示すフローチャート図である。
【図３】消費電流に基づく補正の第１の例に係る新品の電池の放電の特性の例を示す図である。
【図４】消費電流に基づく補正の第１の例に係る新品の電池の放電の特性の例を示す図である。
【図５】消費電流に基づく補正の第１の例に係る新品の電池の電圧と放電時間との対応の例を示す図である。
【図６】消費電流に基づく補正の第１の例に係る新品の電池の電圧と放電時間との対応の例を示す図である。
【図７】消費電流に基づく補正の第１の例に係る新品の電池の電圧と放電時間との対応の例を示す図である。
【図８】消費電流に基づく補正の第１の例に係る消費電流に基づく補正を行った電池の放電の特性の例を示す図である。
【図９】消費電流に基づく補正の第１の例に係る新品の電池の電圧と放電時間との対応の例において着目した値を示す図である。
【図１０】消費電流に基づく補正の第１の例に係る新品の電池の電圧と放電時間との対応の例において着目した値を示す図である。
【図１１】消費電流に基づく補正の第１の例に係る測定結果の特性の例および消費電力に基づく補正後の基準の特性の例を示す図である。
【図１２】消費電流に基づく補正の第２の例に係る新品の電池の充電の特性の例を示す図である。
【図１３】消費電流に基づく補正の第２の例に係る消費電流に基づく補正を行った電池の充電の特性の例を示す図である。
【図１４】消費電流に基づく補正の第２の例に係る測定結果の特性の例および消費電力に基づく補正後の基準の特性の例を示す図である。
【発明を実施するための形態】
【００１７】
以下、図面を参照し、本発明の実施形態について説明する。
本実施形態では、スマートフォンなどの携帯機器である負荷発生装置に電池劣化判定装置を搭載する場合を説明する。
図１は、本発明の一実施形態に係る電池劣化判定装置５を含む負荷発生装置１の概略的な構成を示すブロック図である。
負荷発生装置１は、電池部１１と、電池劣化判定装置５を備える。なお、負荷発生装置１は、図１に示す機能部以外にも、通常の携帯機器が備えるＣＰＵ（Ｃｅｎｔｒａｌ  Ｐｒｏｃｅｓｓｉｎｇ  Ｕｎｉｔ）、メモリ、タッチパネル等の操作キー、ディスプレイ画面などの機能部を備えるが、図示や詳しい説明を省略する。
【００１８】
電池部１１は、充電することが可能な電池（充電可能な電池）を有する。電池部１１は、充電可能な電池に電力を供給して当該電池を充電する機能、および充電可能な電池から放電される電力を負荷発生装置１の所定の機能部に供給する機能を有する。なお、電池部１１における電池は、例えば、負荷発生装置１の内部に配置されてもよく、または、負荷発生装置１の外部に配置されて負荷発生装置１に接続されてもよい。
電池劣化判定装置５は、基準特性値管理部１２と、消費電流パターン管理部１３と、動作パターン管理部１４と、残量測定部２１と、電圧測定部２２と、時間測定部２３と、動作監視部２４と、動作記録部２５と、消費電流推定部２６と、特性値補正部２７と、判定部２８を含む。
【００１９】
基準特性値管理部１２は、電池部１１における充電可能な電池に関して、基準となる特性値（基準特性値）の情報をメモリに記憶して管理する。基準特性値の情報としては、本実施形態では、工場出荷時（新品時）における充電可能な電池の特性値の情報が用いられる。また、基準特性値の情報としては、負荷発生装置１がユーザにより操作されていない場合（ユーザによる操作に応じた処理によって電力が消費されていない場合）における充電可能な電池の特性値の情報が用いられる。
ここで、充電可能な電池の特性値の情報としては、例えば、負荷発生装置１において一定の電流が消費される場合における充電可能な電池から放電される電圧の時間変化の特性値の情報や、一定の電流によって充電される場合における充電可能な電池から放電される電圧の時間変化の特性値の情報や、一定の電流が消費される場合における充電可能な電池さら放電される電池残量の時間変化の特性値の情報や、一定の電流によって充電される場合における充電可能な電池に充電される電池残量の時間変化の特性値の情報が用いられる。なお、前記した電池の放電時における一定の電流や、前記した電池の充電時における一定の電流としては、それぞれ、２種類以上の電流の各々に関する特性値の情報が用意されてもよい。
【００２０】
また、本実施形態では、基準特性値の情報を記憶するメモリとして、負荷発生装置１の内部（本実施形態では、電池劣化判定装置５の内部）のメモリが用いられるが、他の構成例として、負荷発生装置１の外部のメモリが用いられてもよく、または、負荷発生装置１の外部のサーバなどの装置のメモリに記憶された基準特性値の情報を負荷発生装置１（本実施形態では、それに含まれる電池劣化判定装置５）が当該サーバなどの装置から受信する構成が用いられてもよい。
また、基準特性値の情報としては、例えば、負荷発生装置１の型番や種類などに応じて作成された情報が用いられてもよい。この場合に、負荷発生装置１（本実施形態では、それに含まれる電池劣化判定装置５）は、特性値補正部２７により消費電流に基づく補正を行うときなどに、メモリ（内部のメモリまたは外部のメモリまたは外部のサーバなどの装置のメモリ）から、当該負荷発生装置１の型番や種類などに応じた基準特性値の情報を取得する構成が用いられてもよい。
【００２１】
消費電流パターン管理部１３は、負荷発生装置１における消費電流のパターンの情報をファイルなどとしてメモリに記憶して管理する。消費電流のパターンの情報は、例えば、あらかじめ消費電流パターン管理部１３のメモリに記憶される。
消費電流のパターンとしては、動作の種類とその動作によって消費される電流（消費電流）との対応が用いられる。動作の種類としては、例えば、ユーザによる操作に応じて行われる様々な動作の種類が用いられてもよく、具体的には、ＣＰＵにより行われる演算の処理の動作、通信の処理の動作、メモリの処理の動作、インタフェースの処理の動作、ＧＰＳ（Ｇｌｏｂａｌ  Ｐｏｓｉｔｉｏｎｉｎｇ  Ｓｙｓｔｅｍ）の処理の動作、Ｗｉ−Ｆｉ（登録商標）（Ｗｉｒｅｌｅｓｓ  Ｆｉｄｅｌｉｔｙ）の処理の動作などが用いられる。ＣＰＵにより行われる演算の処理は、例えば、ＣＰＵのクロック数（周波数）により特定されてもよい。消費電流としては、例えば、所定の時間（単位となる時間）における消費電流が用いられる。
【００２２】
具体例として、動作の種類と消費電流との対応としては、「ＣＰＵにより行われる演算の処理の動作については、消費電流が１分当たり１００ｍＡである」という対応や、「通信の処理の動作については、消費電流が１分当たり１５０ｍＡである」という対応などが用いられる。また、「ＣＰＵにより行われる演算の処理の動作については、消費電流が１分当たり１００ｍＡである」という対応の代わりに、「クロック数が１００ＭＨｚであるＣＰＵについては、消費電流が１分当たり１００ｍＡである」という対応や、「クロック数が２００ＭＨｚであるＣＰＵについては、消費電流が１分当たり２００ｍＡである」という対応などが用いられてもよい。
ここで、消費電流のパターンの情報としては、本実施形態では、工場出荷時（新品時）における充電可能な電池が用いられる場合における情報が用いられるが、他の状態の充電可能な電池が用いられる場合における情報が用いられてもよい。また、消費電流のパターンの情報は、例えば、実際の消費電流の値をあらかじめ測定した結果の情報が用いられてもよく、または、理論的に計算される消費電流の値に基づく情報が用いられてもよい。
【００２３】
なお、負荷発生装置１における動作の種類としては、本実施形態で例示される動作の種類に限られることなく、様々な動作の種類が用いられてもよい。
具体例として、負荷発生装置１における動作の種類として、ＣＰＵのクロック数、ＣＰＵの動作時間、通信トラフィック、近距離無線通信（ＮＦＣ：Ｎｅａｒ  Ｆｉｅｌｄ  Ｃｏｍｍｕｎｉｃａｔｉｏｎ）のオン／オフ、メモリの動作、通信インタフェースのオン／オフ、ＧＰＳのオン／オフ、負荷発生装置１の画面のオン／オフ、カメラのオン／オフ、フラッシュライトのオン／オフ、オーディオのオン／オフ、ビデオのオン／オフなどの動作が用いられてもよい。通信インタフェースとしては、例えば、セルラー通信のインタフェース、Ｗｉ−Ｆｉ（登録商標）のインタフェース、Ｂｌｕｅｔｏｏｔｈ（登録商標）のインタフェース、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のインタフェースなどが含まれてもよい。
【００２４】
また、本実施形態では、消費電流パターンの情報を記憶するメモリとして、負荷発生装置１の内部（本実施形態では、電池劣化判定装置５の内部）のメモリが用いられるが、他の構成例として、負荷発生装置１の外部のメモリが用いられてもよく、または、負荷発生装置１の外部のサーバなどの装置のメモリに記憶された消費電流パターンの情報を負荷発生装置１（本実施形態では、それに含まれる電池劣化判定装置５）が当該サーバなどの装置から受信する構成が用いられてもよい。
また、消費電流パターンの情報としては、例えば、負荷発生装置１の型番や種類などに応じて作成された情報が用いられてもよい。この場合に、負荷発生装置１（本実施形態では、それに含まれる電池劣化判定装置５）は、消費電流推定部２６により消費電流の検出を行うときなどに、メモリ（内部のメモリまたは外部のメモリまたは外部のサーバなどの装置のメモリ）から、当該負荷発生装置１の型番や種類などに応じた消費電流パターンの情報を取得する構成が用いられてもよい。
【００２５】
動作パターン管理部１４は、負荷発生装置１における動作パターンの情報をメモリに記憶して管理する。
動作パターンとしては、動作の種類とその動作が継続した時刻（例えば、開始の時刻と、終了の時刻）との対応が用いられる。具体例として、この対応としては、「ＣＰＵにより行われる演算の処理の動作が、２０１２年１月１日９時から９時３０分まで継続した」という対応や、「通信の処理の動作が、２０１２年１月１日１１時から１２時まで継続した」という対応などが用いられる。また、「ＣＰＵにより行われる演算の処理の動作が、２０１２年１月１日９時から９時３０分まで継続した」という対応の代わりに、「クロック数が１００ＭＨｚであるＣＰＵの動作が、２０１２年１月１日９時から９時３０分まで継続した」という対応や、「クロック数が２００ＭＨｚであるＣＰＵの動作が、２０１２年１月１日９時から９時３０分まで継続した」という対応などが用いられてもよい。
【００２６】
残量測定部２１は、電池部１１における充電可能な電池の電力の残量（電池残量）を測定する。残量測定部２１は、本実施形態では、時刻に対応付けて、電池残量を測定する。残量測定部２１は、例えば、電池の充電時に、電池残量の時間変化の特性の情報を取得することができ、一例として、充電の開始点となる所定の電池残量（例えば、４５％など）から充電の終了点となる所定の電池残量（例えば、９０％など）までにおける電池残量の時間変化の特性の情報を取得することができる。
電圧測定部２２は、電池部１１における充電可能な電池から放電される電圧を測定する。  電圧測定部２２は、本実施形態では、時刻に対応付けて、電池から放電される電圧を測定する。電圧測定部２２は、例えば、電池の放電時に、電池から放電される電圧の時間変化の特性を取得することができる。電圧測定部２２は、例えば、電池の放電時に、電圧の時間変化の特性の情報を取得することができ、一例として、放電の開始点となる所定の電圧（例えば、４．１Ｖなど）から放電の終了点となる所定の電圧（例えば、３．４Ｖなど）までにおける電圧の時間変化の特性の情報を取得することができる。
時間測定部２３は、電池部１１における充電可能な電池に関して、所定の時間を測定する。所定の時間としては、例えば、充電可能な電池に対する充電の継続時間（充電時間）や、充電可能な電池からの放電の継続時間（放電時間）などが用いられる。
ここで、残量測定部２１や電圧測定部２２や時間測定部２３は、それぞれ、例えば、判定部２８などからの指示を受けて、負荷発生装置１が動作中であるときに測定対象を測定する。
【００２７】
なお、本実施形態では、残量測定部２１が電池残量の時間変化の特性を取得する機能を有する構成とし、また、電圧測定部２２が電池から放電される電圧の時間変化の特性を取得する機能を有する構成とした。他の構成例として、残量測定部２１が電池残量の時間変化の特性を取得する場合に、時間測定部２３が有する時間を計時する機能を利用する構成が用いられてもよく、また、電圧測定部２２が電池から放電される電圧の時間変化の特性を取得する場合に、時間測定部２３が有する時間を計時する機能を利用する構成が用いられてもよい。
【００２８】
また、残量測定部２１は、基準特性値管理部１２で管理される電池残量と電圧の特性に基づいて、電圧測定部２２で測定された電圧から、電池残量を決定してもよい。
また、電圧測定部２２は、基準特性値管理部１２で管理される電池残量と電圧の特性に基づいて、残量測定部２１で測定された電池残量から、電圧を決定しててもよい。
具体例として、残量測定部２１により測定される電池残量と電圧測定部２２により測定される電圧との対応関係として、１００％と４．１Ｖ、８０％と４．０Ｖ、７５％と３．９Ｖ（これらの数値は一例である）などの対応情報を基準特性値管理部１２に記憶しておく。そして、残量測定部２１は、電圧測定部２２による測定結果を取得し、前記した対応情報に基づいて、当該測定結果が４．１Ｖであれば電池残量が１００％であり、当該測定結果が４．０Ｖであれば電池残量が８０％であるなどのように、電池残量（推定による間接的な測定結果）を取得することができる。同様に、電圧測定部２２は、残量測定部２１による測定結果を取得し、前記した対応情報に基づいて、当該測定結果が１００％であれば電圧が４．１Ｖであり、当該測定結果が８０％であれば電圧が４．０Ｖであるなどのように、電圧（推定による間接的な測定結果）を取得することができる。これにより、例えば、電池の残量と電圧との一方については直接に測定し、他方については前記一方の測定結果から間接に測定結果を取得することができる。
【００２９】
動作監視部２４は、負荷発生装置１における動作を監視する。本実施形態では、動作監視部２４は、充電可能な電池の劣化の判定処理のときに、負荷発生装置１における動作パターン（本実施形態では、動作の種類と、その動作が継続した時刻）を逐次監視する。
動作記録部２５は、動作監視部２４により監視された動作パターンの情報を動作パターン管理部１４に記録する（メモリに記憶させる）。
ここで、動作監視部２４は、例えば、負荷発生装置１における動作を定期的に監視してもよく、または、負荷発生装置１のオペレーティングシステムから受信するイベント通知に応じて動作を監視してもよい。
また、動作監視部２４（または、動作記録部２５）は、例えば、負荷発生装置１における動作を監視した時間ごとに、動作パターンの情報のファイル（データファイル）を作成してもよい。この場合、動作記録部２５は、当該ファイルを動作パターン管理部１４に記録する。
【００３０】
消費電流推定部２６は、動作パターン管理部１４に記憶されている動作パターンの情報と、消費電流パターン管理部１３に記憶されている消費電流パターンの情報を読み出して、これらの情報に基づいて、それぞれの時刻ごとにおける消費電流を検出する（本実施形態では、推定として検出する）。本実施形態では、１つの動作だけが行われた時刻については、消費電流推定部２６は、その動作の種類について、読み出した動作パターンの情報により特定される当該動作が継続した時刻における消費電流が、読み出した消費電流パターンの情報により特定される当該動作の所定の時間における消費電流であると検出する。また、本実施形態では、２つ以上の動作が同時に行われた時刻については、消費電流推定部２６は、その時刻における合計の消費電流が、それぞれの動作の種類について検出した消費電流の総和であると検出する。
【００３１】
具体例として、消費電流推定部２６は、読み出した動作パターンの情報に基づいて、１つの動作だけが行われたと判定した時刻において、その動作が「通信の処理の動作」であり、「通信の処理の動作については、消費電流が１分当たり１５０ｍＡである」という消費電流パターンの情報を読み出した場合には、１分当たり１５０ｍＡの消費電流であると検出する。また、消費電流推定部２６は、読み出した動作パターンの情報に基づいて、２つの動作が同時に行われたと判定した時刻において、その動作が「通信の処理の動作」および「ＧＰＳの処理の動作」であり、「通信の処理の動作については、消費電流が１分当たり１５０ｍＡである」という消費電流パターンの情報および「ＧＰＳの処理の動作については、消費電流が１分当たり９０ｍＡである」という消費電流パターンの情報を読み出した場合には、１分当たり２４０ｍＡ（＝１５０ｍＡ＋９０ｍＡ）の消費電流であると検出する。
【００３２】
なお、他の構成例として、動作記録部２５が監視時における動作パターンの情報を一時的に動作パターン管理部１４に記録し、消費電流推定部２６（または、動作監視部２４あるいは動作記録部２５）は、監視の期間（本実施形態では、電池の劣化の判定処理の期間）が終了したときに、動作パターン管理部１４に記録された動作パターンの情報に基づいて、それぞれの種類の動作ごとにオンになっていた総時間を検出（例えば、計算）して動作パターン管理部１４に記録する構成が用いられてもよい。
【００３３】
特性値補正部２７は、基準特性値管理部１２に記憶されている基準特性値の情報を読み出し、消費電流推定部２６により検出された時刻ごとにおける消費電流を入力し、そして、入力した時刻ごとにおける消費電流に基づいて、読み出した基準特性値の情報を補正しつつ、電池の劣化の判定処理を行う期間における理論的な特性値（本実施形態では、電池の劣化がないと仮定した場合における理想的な特性値）の情報を生成する。すなわち、基準特性値の情報に基づくと、電池の劣化の判定処理を行う期間について、負荷発生装置１における動作による消費電流（例えば、ユーザによる操作に応じて行われる動作による消費電流）がない場合における特性値の情報が得られるところ、本実施形態では、特性値補正部２７は、実際には負荷発生装置１における動作による消費電流が発生した時刻については、当該消費電流を考慮して補正した特性値の情報を得る。
【００３４】
判定部２８は、残量測定部２１による測定結果の情報と、電圧測定部２２による測定結果の情報と、時間測定部２３による測定結果の情報を入力し、特性値補正部２７により生成された特性値の情報（補正後の特性値の情報）を入力し、電池の劣化の判定処理を行う期間について、入力した測定結果の情報に基づいて得られる特性値の情報と、入力した特性値の情報（補正後の特性値の情報）とを比較し、この比較の結果に基づいて、電池の劣化の判定（診断）を行う。
【００３５】
ここで、電池の劣化の判定を行うための特性値の情報としては、様々な特性値の情報が用いられてもよく、例えば、負荷発生装置１において電流が消費される場合における充電可能な電池から放電される電圧の時間変化の特性値の情報や、電流によって充電される場合における充電可能な電池から放電される電圧の時間変化の特性値の情報や、一定の電流が消費される場合における充電可能な電池から放電される電池残量の時間変化の特性値の情報や、一定の電流によって充電される場合における充電可能な電池に充電される電池残量の時間変化の特性値の情報が用いられる。
また、本実施形態では、判定部２８は、残量測定部２１による測定結果の情報と、電圧測定部２２による測定結果の情報と、時間測定部２３による測定結果の情報を入力するが、電池の劣化の判定を行うために用いられる特性値の情報を生成するために必要な測定結果の情報のみ（１つのみでもよく、２つのみでもよく、または、３つの全てでもよい。）を用いて、特性値の情報（測定結果に基づく特性値の情報）を生成すればよい。このため、他の構成例として、判定部２８は、残量測定部２１による測定結果の情報と、電圧測定部２２による測定結果の情報と、時間測定部２３による測定結果の情報のうちで、電池の劣化の判定を行うために用いられる特性値の情報のみを入力してもよい。
【００３６】
図２は、本発明の一実施形態に係る電池劣化判定装置５を含む負荷発生装置１において行われる処理の手順の一例を示すフローチャート図である。
まず、負荷発生装置１において、電池部１１の充電可能な電池について、充電または放電を開始する（ステップＳ１）。充電または放電の開始は、例えば、負荷発生装置１に対するユーザによる操作に応じて行われ、または、あらかじめ定められた条件が満たされたことに応じて負荷発生装置１により自動的に行われる。
次に、負荷発生装置１に含まれる電池劣化判定装置５により、電池の劣化の判定処理を開始する（ステップＳ２）。電池の劣化の判定処理は、例えば、負荷発生装置１に対するユーザによる操作に応じて行われ、または、あらかじめ定められた条件が満たされたことに応じて電池劣化判定装置５により自動的に行われる。
【００３７】
ここで、電池の充電が開始される場合には、電池劣化判定装置５は、充電の状況に基づいて電池の劣化の判定を行う。また、電池の放電が開始される場合には、電池劣化判定装置５は、放電の状況に基づいて電池の劣化の判定を行う。
なお、電池劣化判定装置５が、負荷発生装置１において、電池の充電を行うこと、または、電池の放電を行うこと、を制御してもよい。
【００３８】
電池劣化判定装置５において、動作監視部２４により負荷発生装置１における動作の監視を行うことが開始され、動作記録部２５により負荷発生装置１における動作パターンの記録を行うことが開始される（ステップＳ３）。これにより、動作監視部２４により負荷発生装置１における動作パターンが逐次監視され、動作記録部２５により負荷発生装置１における動作パターンが動作パターン管理部１４に逐次記録される。
【００３９】
電池劣化判定装置５において、電池の劣化の判定に必要な測定を行う（ステップＳ４）。本実施形態では、残量測定部２１による電池の電力の残量の測定、電圧測定部２２による電池から放電される電圧の測定、時間測定部２３による所定の時間の測定のうちの１つ以上の測定を行う。
電池劣化判定装置５において、測定の結果の情報に基づいて、所定の条件が満たされたか否かを判定する（ステップＳ５）。そして、電池劣化判定装置５において、所定の条件が満たされると判定した場合には、ステップＳ６の処理へ移行し、また、所定の条件が満たされないと判定した場合には、ステップＳ４の処理へ戻る。
【００４０】
ここで、所定の条件としては、例えば、電池の充電または放電の開始時点から所定の時間が経過したという条件や、電池の電力の残量が所定の残量に達したという条件や、電池から放電される電圧値が所定の電圧値に達したという条件などが用いられる。なお、電池劣化判定装置５では、例えば、複数の異なる条件のそれぞれについて判定を行い、少なくとも１つの条件が満たされた場合に、所定の条件が満たされたと判定してもよい。
【００４１】
電池劣化判定装置５において、所定の条件が満たされたと判定した場合には（ステップＳ５）、動作監視部２４により負荷発生装置１における動作の監視を行うことが終了され、動作記録部２５により負荷発生装置１における動作パターンの記録を行うことが終了される（ステップＳ６）。
【００４２】
電池劣化判定装置５において、消費電流推定部２６により、動作パターンの情報と消費電流パターンの情報に基づいて、電池の劣化の判定処理の期間における消費電流（時刻ごとにおける消費電流）を検出する（ステップＳ７）。
電池劣化判定装置５において、特性値補正部２７により、消費電流推定部２６により検出された消費電流に基づいて、基準特性値の情報を補正しつつ、電池の劣化の判定処理を行う期間における理論的な特性値の情報を生成する（ステップＳ８）。
電池劣化判定装置５において、判定部２８により、測定結果の情報と、特性値補正部２７により生成された特性値の情報（補正後の特性値の情報）に基づいて、電池の劣化の判定を行う（ステップＳ９）。
【００４３】
以上のように、本実施形態に係る電池劣化判定装置５では、負荷発生装置１（本実施形態では、電池劣化判定装置５を含む。）に電力を供給する充電可能な電池の劣化の判定を行う場合に、ユーザが負荷発生装置１を操作したことによる消費電流を検出（例えば、推定）して、検出した消費電流に基づいて、基準特性値の情報を補正する。
本実施形態に係る電池劣化判定装置５によると、電池の劣化の判定処理を行う期間に、ユーザが負荷発生装置１を操作した場合においても、電池の劣化の判定処理を中断することなく、判定の精度を保ったまま、継続することができる。このように、本実施形態に係る電池劣化判定装置５では、電池の劣化の診断（判定）に関する測定を行っている最中にユーザが負荷発生装置１を操作しても、電池の劣化の診断を精度良く行うことができる。
【００４４】
ここで、電池の劣化の判定を行う方法としては、様々な方法が用いられてもよい。一例として、電池の充電の状況に基づいて、当該電池の劣化の判定を行う場合には、監視する電池残量の範囲（例えば、充電開始時における電池の残量、充電完了時における電池の残量）としては様々な範囲が用いられてもよい。他の例として、電池の放電の状況に基づいて、当該電池の劣化の判定を行う場合には、監視する電池残量の範囲（例えば、放電開始時における電池の残量、放電完了時における電池の残量）としては様々な範囲が用いられてもよい。
なお、電池の残量としては、例えば、パーセント（％）で表されてもよく、または、電圧の値で表されてもよい。
【００４５】
また、本実施形態では、残量測定部２１や電圧測定部２２や時間測定部２３により測定された結果の情報に基づく特性と、基準特性値の情報に基づく特性とを比較して、電池の劣化の判定を行うに際して、消費電流に基づいて基準特性値の情報に基づく特性を補正する構成とした。他の構成例として、残量測定部２１や電圧測定部２２や時間測定部２３により測定された結果の情報に基づく特性と、基準特性値の情報に基づく特性とを比較して、電池の劣化の判定を行うに際して、消費電流に基づいて前記した測定された結果の情報に基づく特性を補正する構成が用いられてもよい。さらに他の構成例として、消費電流に基づいて、前記した測定された結果の情報に基づく特性および基準特性値の情報に基づく特性の両方を補正する構成が用いられてもよい。
【００４６】
＜消費電流に基づく補正の第１の例＞
消費電流に基づく補正の第１の例として、電池劣化判定装置５が、電池の放電の状況に基づいて、当該電池の劣化の判定を行う場合を示す。
図３は、消費電流に基づく補正の第１の例に係る新品の電池の放電の特性１０１の例（補正前の基準特性値の情報の例）を示す図である。
図３に示すグラフにおいて、横軸は電池の放電時間（時間）および容量（ｍＡｈ：ｈは時間を表す。）を表わしており、左側の縦軸は電池の電圧（Ｖ）を表わしており、右側の縦軸は負荷発生装置１の画面に表示される電池残量（％）を表わしている。このグラフに、新品の電池の放電の特性１０１を示してある。
本例では、公称容量が１Ｃ＝２０００ｍＡｈである充電可能な電池が一定の電流（本例では、２０００ｍＡｈ）で１時間放電し続けた場合における電池の放電の特性１０１を示してある。本例では、０時間に電池の放電を開始し、１時間後に電池の放電を終了する。
【００４７】
図４は、消費電流に基づく補正の第１の例に係る新品の電池の放電の特性２０１〜２０３の例（補正前の基準特性値の情報の例）を示す図である。
図４に示すグラフにおいて、横軸は電池の放電時間（時間）を表わしており、縦軸は電池の電圧（Ｖ）を表わしている。このグラフに、新品の電池の放電の特性２０１〜２０３を示してある。
特性２０１は、１Ｃ＝２０００ｍＡｈで電池の放電を行った場合の特性であり、図３に示される特性１０１と同じであり、１時間で放電が終了する。
特性２０２は、０．５Ｃ＝１０００ｍＡｈで電池の放電を行った場合の特性であり、２時間で放電が終了する。
特性２０３は、０．３３３Ｃ＝６６６ｍＡｈで電池の放電を行った場合の特性であり、約３時間で放電が終了する。
【００４８】
図５は、消費電流に基づく補正の第１の例に係る新品の電池の電圧と放電時間との対応（対応表）の例を示す図である。
本例では、１Ｃ＝２０００ｍＡｈで電池の放電を行った場合に関して、電池の電圧（Ｖ）と放電時間（時間）との対応の例を示してある。
【００４９】
図６は、消費電流に基づく補正の第１の例に係る新品の電池の電圧と放電時間との対応（対応表）の例を示す図である。
本例では、０．５Ｃ＝１０００ｍＡｈで電池の放電を行った場合に関して、電池の電圧（Ｖ）と放電時間（時間）との対応の例を示してある。
【００５０】
図７は、消費電流に基づく補正の第１の例に係る新品の電池の電圧と放電時間との対応（対応表）の例を示す図である。
本例では、０．３３３Ｃ＝６６６ｍＡｈで電池の放電を行った場合に関して、電池の電圧（Ｖ）と放電時間（時間）との対応の例を示してある。
【００５１】
図８は、消費電流に基づく補正の第１の例に係る消費電流に基づく補正を行った電池の放電の特性の例（補正後の基準特性値の情報の例）を示す図である。
図９は、消費電流に基づく補正の第１の例に係る新品の電池の電圧と放電時間との対応の例において着目した値を示す図である。図９に示される対応の内容は図５に示される対応の内容と同じであり、本例において着目した値を示している。
図１０は、消費電流に基づく補正の第１の例に係る新品の電池の電圧と放電時間との対応の例において着目した値を示す図である。図１０に示される対応の内容は図６に示される対応の内容と同じであり、本例において着目した値を示している。
【００５２】
図８に示すグラフにおいて、横軸は電池の放電時間（時間）を表わしており、縦軸は電池の電圧（Ｖ）を表わしている。
本例では、負荷発生装置１に備えられた電池部１１における充電可能な電池について、電池の電圧が満充電（本例では、４．１Ｖ）から３．４Ｖに達するまでの放電の状況の例を示す。
図８に示される特性３１１と、図９に示される対応と、図１０に示される対応は、負荷発生装置１においてユーザによる操作に応じて行われる動作による消費電流が発生していない場合における基準特性値の情報である。
図８に示される特性３０１〜３０３は、負荷発生装置１においてユーザによる操作に応じて行われる動作による消費電流が発生した場合について、当該消費電流を考慮して補正した基準特性値の情報である。
【００５３】
特性３１１は、放電する電流を０．５Ｃ＝１０００ｍＡｈに保ち、かつユーザが負荷発生装置１を操作せずに、ユーザによる操作に応じて行われる動作による消費電流が発生しない状態で、電池の放電を行った場合の特性である。この場合、電池の電圧が満充電から３．４Ｖに達するまでの放電時間は１．９時間である。
しかしながら、本例では、放電が開始されてから１時間が経過したときに、ユーザが負荷発生装置１を操作して、当該操作に応じて行われる動作による消費電流が発生し、当該動作が０．３時間継続したことで、その間、２倍の電流（１Ｃ＝２０００ｍＡｈ）で放電したとする。その後、再び、０．５Ｃ＝１０００ｍＡｈの電流で放電したとする。
【００５４】
特性３０１は、満充電の状態から１時間、０．５Ｃ＝１０００ｍＡｈの電流で放電したときについて、基準特性値情報に基づいて得られる特性である。この１時間において、ユーザは負荷発生装置１を操作していない。この１時間の経過後に、電池の電圧は３．６Ｖとなる。
特性３０２は、この１時間の経過後に、ユーザが負荷発生装置１を操作したことで、０．３時間、２倍の電流（１Ｃ＝２０００ｍＡｈ）で放電したときについて、基準特性値情報に基づいて、かつ消費電流を考慮して補正して、得られる特性である。この０．３時間の経過後に、電池の電圧は３．５Ｖとなる。この電圧の値は、図９に示される対応（本例では、図９に示される着目した値）から推定される電圧の値である。
特性３０３は、この０．３時間（充電の開始から計１．３時間）の経過後に、０．３時間、０．５Ｃ＝１０００ｍＡｈの電流で放電したときについて、基準特性値情報に基づいて得られる特性である。この０．３時間において、ユーザは負荷発生装置１を操作していない。この０．３時間の経過後に、電池の電圧は３．４Ｖとなる。特性３０３に関する充電時間と電池の電圧との関係は、図１０に示される対応（本例では、図１０に示される着目した値）から推定される。
特性３０１〜３０３では、電池の電圧が満充電（本例では、４．１Ｖ）から３．４Ｖに達するまでの放電時間は１．６時間（＝１時間＋０．３時間＋０．３時間）となる。
【００５５】
図１１は、消費電流に基づく補正の第１の例に係る測定結果の特性４０１の例および消費電流に基づく補正後の基準の特性４０２の例を示す図である。
図１１に示すグラフにおいて、横軸は電池の放電時間（時間）を表わしており、縦軸は電池の電圧（Ｖ）を表わしている。
本例では、負荷発生装置１に備えられた電池部１１における充電可能な電池について、電池の電圧が満充電（本例では、４．１Ｖ）から３．４Ｖに達するまでの放電の状況の例を示す。本例では、図８に示されるように、放電の開始から１時間が経過したときから１．３時間になるまで、ユーザによる操作に応じて行われる動作による消費電流が発生しているとする。
【００５６】
図１１に示される特性４０１は、実際の測定結果の特性である。この特性４０１は、本実施形態では、測定部（本実施形態では、残量測定部２１や電圧測定部２２や時間測定部２３のうちの１つ以上）により実際に測定された結果の情報に基づいて、判定部２８により生成される。
図１１に示される特性４０２は、消費電流に基づく補正を行いつつ、基準特性値の情報に基づいて得られる特性である。この特性４０２は、本実施形態では、特性値補正部２７により、消費電流推定部２６により検出された消費電流に基づく補正を行いつつ、基準特性値管理部１２に記憶された基準特性値の情報に基づいて、生成される。
【００５７】
本実施形態では、判定部２８により、測定結果の特性４０１と、消費電流に基づく補正後の基準の特性４０２とが比較されて、当該比較の結果に基づいて、電池の劣化の判定が行われる。
具体的な一例として、図１１の例では、特性４０２に示されるように、電池の劣化がない場合には、電池の電圧が満充電から３．４Ｖに達するまでの放電時間は、理論的には、１．６時間になる。これに対して、特性４０１に示されるように、実際に測定された結果では、電池の電圧が満充電から３．４Ｖに達するまでの放電時間は、１．４時間になる。例えば、電池劣化率は０．８７５（＝１．４／１．６）となり、１２．５（＝１００−８７．５）％劣化していることになる。判定部２８は、電池の劣化の判定として、例えば、このような電池劣化率などに関する情報を判定する。
【００５８】
＜消費電流に基づく補正の第２の例＞
消費電流に基づく補正の第２の例として、電池劣化判定装置５が、電池の充電の状況に基づいて、当該電池の劣化の判定を行う場合を示す。
図１２は、消費電流に基づく補正の第２の例に係る新品の電池の充電の特性５０１〜５０２の例（補正前の基準特性値の情報の例）を示す図である。
図１２に示すグラフにおいて、横軸は電池の充電時間（時間）を表わしており、縦軸は電池残量（％）を表わしている。このグラフに、新品の電池の充電の特性５０１〜５０２を示してある。
特性５０１は、電池残量が４５％から９０％まで、一定の５００ｍＡの電流で充電を行った場合の特性である。この場合、充電の開始から終了までの充電時間が３時間である。
特性５０２は、電池残量が４５％から９０％まで、一定の２５０ｍＡの電流で充電を行った場合の特性である。この場合、充電の開始から終了までの充電時間が６時間である。
特性５０２に対して特性５０１は、充電を行う電流が２倍であるため、充電時間が１／２になる。
特性５０１〜５０２は、負荷発生装置１においてユーザによる操作に応じて行われる動作による消費電流が発生していない場合における基準特性値情報である。
【００５９】
図１３は、消費電流に基づく補正の第２の例に係る消費電流に基づく補正を行った電池の充電の特性の例（補正後の基準特性値の情報の例）を示す図である。
図１３に示すグラフにおいて、横軸は電池の充電時間（時間）を表わしており、縦軸は電池残量（％）を表わしている。
本例では、負荷発生装置１に備えられた電池部１１における充電可能な電池について、電池残量が４５％から９０％に達するまでの充電の状況の例を示す。
図１３に示される特性６０１〜６０３は、負荷発生装置１においてユーザによる操作に応じて行われる動作による消費電流が発生した場合について、当該消費電流を考慮して補正した基準特性値の情報である。
【００６０】
特性６０１は、充電を行う電流を５００ｍＡに保ち、かつユーザが負荷発生装置１を操作せずに、ユーザによる操作に応じて行われる動作による消費電流が発生しない状態で、電池の充電を行った場合の特性である。この特性６０１では、充電の開始時における電池残量は４５％であり、それから１時間後における電池残量は６０％である。
ここで、本例では、充電が開始されてから１時間が経過したときに、ユーザが負荷発生装置１を操作して、当該操作に応じて行われる動作による消費電流（本例では、２５０ｍＡ）が発生し、当該動作が１．３３時間継続したことで、その間、１／２倍の電流（２５０ｍＡ）で充電を行ったとする。特性６０２は、このとき（充電の開始から１時間経過後から２．３３時間まで）の特性である。この特性６０２では、充電の開始から２．３３時間経過後における電池残量は７０％である。
その後、再び、充電を行う電流を５００ｍＡに保ち、かつユーザが負荷発生装置１を操作せずに、ユーザによる操作に応じて行われる動作による消費電流が発生しない状態で、電池の充電を行ったとする。特性６０３は、このとき（充電の開始から２．３３時間以降）の特性である。この特性６０３では、充電の開始から３．６７時間経過後における電池残量は９０％である。
【００６１】
特性６０１〜６０３では、電池残量が４５％から９０％に達するまでの充電時間は３．６７時間（＝１時間＋１．３３時間＋１．３４時間）となる。
ここで、特性６０１および特性６０３は、基準特性値情報に基づいて得られる特性である。
また、特性６０２は、基準特性値情報に基づいて、かつ消費電流を考慮して補正して、得られる特性である。
【００６２】
図１４は、消費電流に基づく補正の第２の例に係る測定結果の特性７０１の例および消費電力に基づく補正後の基準の特性７０２の例を示す図である。
図１４に示すグラフにおいて、横軸は電池の充電時間（時間）を表わしており、縦軸は電池残量（％）を表わしている。
本例では、負荷発生装置１に備えられた電池部１１における充電可能な電池について、電池残量が４５％から９０％に達するまでの充電の状況の例を示す。本例では、図１３に示されるように、充電の開始から１時間が経過したときから２．３３時間になるまで、ユーザによる操作に応じて行われる動作による消費電流が発生しているとする。
【００６３】
図１４に示される特性７０１は、実際の測定結果の特性である。この特性７０１は、本実施形態では、測定部（本実施形態では、残量測定部２１や電圧測定部２２や時間測定部２３のうちの１つ以上）により実際に測定された結果の情報に基づいて、判定部２８により生成される。
図１４に示される特性７０２は、消費電流に基づく補正を行いつつ、基準特性値の情報に基づいて得られる特性である。この特性７０２は、本実施形態では、特性値補正部２７により、消費電流推定部２６により検出された消費電流に基づく補正を行いつつ、基準特性値管理部１２に記憶された基準特性値の情報に基づいて、生成される。
【００６４】
本実施形態では、判定部２８により、測定結果の特性７０１と、消費電流に基づく補正後の基準の特性７０２とが比較されて、当該比較の結果に基づいて、電池の劣化の判定が行われる。
具体的な一例として、図１４の例では、特性７０２に示されるように、電池の劣化がない場合には、電池残量が４５％から９０％に達するまでの充電時間は、理論的には、３．６７時間になる。これに対して、特性７０１に示されるように、実際に測定された結果では、電池残量が４５％から９０％に達するまでの充電時間は、３．２時間になる。例えば、電池劣化率は０．８７２（＝３．２／３．６７）となり、１２．８（＝１００−８７．２）％劣化していることになる。判定部２８は、電池の劣化の判定として、例えば、このような電池劣化率などに関する情報を判定する。
【００６５】
［以上の実施形態に係る構成例］
一構成例として、電池（図１の例では、電池部１１における電池）を使用する負荷発生装置（図１の例では、負荷発生装置１）において行われる動作の消費電流の情報に基づいて補正を行いつつ、前記消費電流がない場合における前記電池に関する基準となる特性値の情報に基づいて、前記補正を行った特性値の情報を生成する特性値補正部（図１の例では、特性値補正部２７）と、前記特性値補正部により生成された前記補正を行った特性値の情報と、前記電池に関する測定により得られた前記電池に関する特性値の情報に基づいて、前記電池の劣化の判定を行う判定部（図１の例では、判定部２８）と、を備える電池劣化判定装置（図１の例では、電池劣化判定装置５）である。
【００６６】
一構成例として、電池劣化判定装置において、前記消費電流がない場合における前記電池に関する基準となる特性値の情報を記憶する基準特性値記憶部（図１の例では、基準特性値管理部１２の記憶機能）と、前記負荷発生装置において行われる動作の種類と消費電流との対応の情報を記憶する消費電流情報記憶部（図１の例では、消費電流パターン管理部１３の記憶機能）と、前記負荷発生装置において行われる動作の種類および時刻の情報を検出する動作情報検出部（図１の例では、動作監視部２４の検出機能）と、前記消費電流情報記憶部に記憶された情報と、前記動作情報検出部により検出された情報に基づいて、前記負荷発生装置において行われる動作の消費電流の情報を検出する消費電流情報検出部（図１の例では、消費電流推定部２６の検出機能）と、を備え、前記特性値補正部は、前記消費電流情報検出部により検出された情報に基づいて補正を行いつつ、前記基準特性値記憶部に記憶された情報に基づいて、前記補正を行った特性値の情報を生成する。
【００６７】
一構成例として、電池劣化判定装置において、前記電池は、充電可能な電池であり、前記電池の充電または放電に関する情報を測定する測定部（図１の例では、残量測定部２１や電圧測定部２２や時間測定部２３）を備え、前記判定部は、前記特性値補正部により生成された前記補正を行った特性値の情報と、前記測定部により測定された情報により得られた前記電池に関する特性値の情報に基づいて、前記電池の劣化の判定を行う。
【００６８】
一構成例として、電池劣化判定装置において、前記負荷発生装置において行われる動作の消費電流の情報として、前記負荷発生装置に対するユーザによる操作に応じて行われる動作の消費電流の情報が用いられる。
この場合、負荷発生装置に対するユーザによる操作に応じて行われる動作の消費電流以外の動作の消費電流については、例えば、前記した電池に関する基準となる特性値において、考慮されていてもよく、または、（例えば、実用上で支障がない程度で）考慮されていなくてもよい。負荷発生装置に対するユーザによる操作に応じて行われる動作としては、例えば、操作があったときに単発で行われる動作であってもよく、または、操作による設定後に、その設定が変更されるまでまたは所定の時間が経過するまで、継続して行われる動作であってもよい。
なお、例えば、負荷発生装置において行われる動作の消費電流の情報として、負荷発生装置により自動的に行われる動作の消費電流の情報が用いられてもよい。
【００６９】
一構成例として、電池劣化判定装置において、前記電池劣化判定装置は、前記負荷発生装置に備えられる。
【００７０】
一構成例として、特性値補正部が、電池を使用する負荷発生装置において行われる動作の消費電流の情報に基づいて補正を行いつつ、前記消費電流がない場合における前記電池に関する基準となる特性値の情報に基づいて、前記補正を行った特性値の情報を生成し、判定部が、前記特性値補正部により生成された前記補正を行った特性値の情報と、前記電池に関する測定により得られた前記電池に関する特性値の情報に基づいて、前記電池の劣化の判定を行う、電池劣化判定方法（図１の例では、電池劣化判定装置５により行われる方法）である。
【００７１】
一構成例として、特性値補正部が、電池を使用する負荷発生装置において行われる動作の消費電流の情報に基づいて補正を行いつつ、前記消費電流がない場合における前記電池に関する基準となる特性値の情報に基づいて、前記補正を行った特性値の情報を生成するステップと、判定部が、前記特性値補正部により生成された前記補正を行った特性値の情報と、前記電池に関する測定により得られた前記電池に関する特性値の情報に基づいて、前記電池の劣化の判定を行うステップと、をコンピュータに実行させるための電池劣化判定プログラム（図１の例では、電池劣化判定装置５を実現するためのプログラム）である。
【００７２】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００７３】
また、以上に示した実施形態に係る各装置（例えば、負荷発生装置１や、それに含まれる電池劣化判定装置５）の機能を実現するためのプログラムをコンピュータ読み取り可能な記録媒体に記録して、この記録媒体に記録されたプログラムをコンピュータシステムに読み込ませ、実行することにより、処理を行ってもよい。
【００７４】
なお、ここでいう「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
【００７５】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【００７６】
１…負荷発生装置、５…電池劣化判定装置、１１…電池部、１２…基準特性値管理部、１３…消費電流パターン管理部、１４…動作パターン管理部、２１…残量測定部、２２…電圧測定部、２３…時間測定部、２４…動作監視部、２５…動作記録部、２６…消費電流推定部、２７…特性値補正部、２８…判定部、１０１、２０１〜２０３、３０１〜３０３、３１１、４０１〜４０２、５０１〜５０２、６０１〜６０３、７０１〜７０２…特性
【図１】
2015111070.tif 000003
【図２】
2015111070.tif 000004
【図３】
2015111070.tif 000005
【図４】
2015111070.tif 000006
【図５】
2015111070.tif 000007
【図６】
2015111070.tif 000008
【図７】
2015111070.tif 000009
【図８】
2015111070.tif 000010
【図９】
2015111070.tif 000011
【図１０】
2015111070.tif 000012
【図１１】
2015111070.tif 000013
【図１２】
2015111070.tif 000014
【図１３】
2015111070.tif 000015
【図１４】
2015111070.tif 000016